(57)【要約】【課題】空気弁における排気弁部の止水不良を解消する。【解決手段】排気弁口６を内部上方に設けた排気筒５を、弁箱１と連通する様に弁箱１上部に立設し、弁箱１内に設けたフロート１５の上下位置に応じ排気弁口６を開閉する排気弁体８を下方より配置すると共に、排気弁体８を排気弁バネ１２にて閉弁方向に付勢した排気弁部３を設けた空気弁において、排気弁部３にはバネ２１にて外方突出する様に付勢された操作部２２と、該操作部２２に連続形成され、排気弁口６の上方より排気弁体８を押圧する突き棒２３とを設けることにより、操作部２２にて突き棒２３を上下動することで排気弁体８を開閉弁動作させ、排気弁体８やその周辺に付着した異物を排水と共に外部へ排出する。【選択図】        図２
2004257478.tif 000002
【特許請求の範囲】
【請求項１】
排気弁口を内部上方に設けた排気筒を、弁箱と連通する様に弁箱上部に立設し、弁箱内に設けたフロートの上下位置に応じ排気弁口を開閉する排気弁体を下方より配置すると共に、排気弁体を排気弁バネにて閉弁方向に付勢した排気弁部を設けた空気弁において、排気弁部には排気弁体を開閉弁動作させる強制開閉弁操作手段を設けたことを特徴とする空気弁。
【請求項２】
強制開閉弁操作手段は、バネにて外方突出する様に付勢された操作部と、該操作部に連続形成され、排気弁口の上方より排気弁体を押圧する突き棒とから成ることを特徴とする請求項１記載の空気弁。
【発明の詳細な説明】
【０００１】
【発明の属する技術分野】
本発明は、排気弁部を有する空気弁に関する。
【０００２】
【従来の技術】
従来、この種の空気弁は、給水管や給湯管等の配管系に取付けて使用されており、流水中に発生又は存在する気泡群を弁箱内に捕集し、弁箱内に滞留した空気により弁箱内の水位が所定位置まで降下することで、弁箱内に設けたフロートの上下位置に応じ排気弁口を開閉する排気弁体が開弁し、排気弁口から空気を系外に排出する様に成している（例えば、特許文献１参照）。
【０００３】
【特許文献１】
実開昭６３−１０１３７５号公報
【０００４】
【発明が解決しようとする課題】
一般に、排気弁部における排気弁体は弁箱上部に設けられ、弁箱内の水が接触しない様に配慮されているが、配管系内の圧力が上昇すると、排気弁体周辺へ水面も上昇し、水面上に浮遊するゴミや埃等の異物が排気弁体に付着する場合があり、異物が付着した排気弁体では排気弁口を正常に閉塞できない不具合を有し、この様な事態が生ずると、配管系内の圧力上昇時には排気弁口から系外へ水が排出され、その周辺が水浸しとなるといった不具合を有している。
【０００５】
【課題を解決するための手段】
本発明は、上記課題に鑑み、排気弁口を内部上方に設けた排気筒を、弁箱と連通する様に弁箱上部に立設し、弁箱内に設けたフロートの上下位置に応じ排気弁口を開閉する排気弁体を下方より配置すると共に、排気弁体を排気弁バネにて閉弁方向に付勢した排気弁部を設けた空気弁において、排気弁部には、バネにて外方突出する様に付勢された操作部と、該操作部に連続形成され、排気弁口の上方より排気弁体を押圧する突き棒とを設けることにより、操作部にて突き棒を上下動することで排気弁体を開閉弁動作させ、排気弁体やその周辺に付着した異物を排水と共に外部へ排出する様にして、上記課題を解決する。
【０００６】
【発明の実施の形態】
以下本発明の一実施例を図面に基づいて説明する。
図１に示す空気弁は、弁箱１の下端部に配管系に接続する流入口２を設けると共に、上部には排気弁部３と吸気弁部４とを設けている。
排気弁部３は、弁箱１内部に連通する排気筒５を立設し、該排気筒５は、その内部上方に弁箱１の内外を連通する排気弁口６を設け、該排気弁口６の下方開口端を排気弁座７と成している。
排気弁座７には、排気弁口６を開閉する排気弁体８を着離自在に設け、該排気弁体８下部に突設した排気弁棒９を、排気筒５下部に装着した弁棒案内筒１０に挿通している。
【０００７】
弁棒案内筒１０において、排気弁棒９の挿通孔１１は、上方を拡径して排気弁バネ受１１ａを形成し、該排気弁バネ受１１ａと排気弁体８の間に排気弁バネ１２を圧縮介装することにより、排気弁体８を閉弁方向に付勢している。
又、弁棒案内筒１０は、その下端から挿通孔１１に渡って穿設することにより、該挿通孔１１を共有する弁箱１と排気筒５との連通路１３を設けている。
排気弁棒９下端は、弁箱１内に突入すると共に、梃子杆１４を介して弁箱１内に収容したフロート１５に連繋し、該フロート１５の上下位置に応じ排気弁体８が排気弁口６を開閉する様に成している。
【０００８】
梃子杆１４は、図３に示す様に、矩形板状にしてその長手側縁に補強板１４ａを垂下形成して成り、長手方向一端を支点とする様に、その支点側端部を、断面鉤状に形成した弁棒案内筒１０下部に着離自在に設置すると共に、下端に抜止め１６を取付けた排気弁棒９を前記支点側端部に遊嵌している。
又、梃子杆１４の長手方向他端は、二股状に形成され、一方、フロート１５において、排気弁棒９と対峙する一側上部には、上端に鍔部１７ａを有する直立棒１７を突設し、該直立棒１７を梃子杆１４の二股状の他端に掛止することにより、梃子杆１４がフロート１５を吊り下げ支持し、フロート１５の上下動により梃子杆１４が揺動して排気弁体８を上下動する様に成している。
【０００９】
排気筒５には、排気弁口６に連通するノズル１８を側面に突設したキャップ１９を外嵌しており、このキャップ１９には、排気弁体８を開閉弁動作させる強制開閉弁操作手段２０を設けている。
この強制開閉弁操作手段２０は、バネ２１にて外方突出する様に付勢された操作部２２と、該操作部２２に連続形成され、排気弁口６の上方より排気弁体８を押圧する突き棒２３とから成る。
バネ２１はキャップ１９上方に設けた中空部１９ａ下端と、キャップ１９上端で抜止めされる様に操作部２２の中間部位に設けたフランジ２２ａとの間に圧縮介装され、中空部１９ａの上下より操作部２２と突き棒２３の夫々を突出し、操作部２２をバネ２１の付勢力に抗して押圧することにより、突き棒２３が排気弁口６を通過すると共に、排気弁体８を排気弁バネ１２の付勢力に抗して排気弁座７より離脱する様に押圧し、操作部２２の押圧を解除することにより、バネ２１の付勢力にて突き棒２３が排気弁体８より離脱し、排気弁体８も排気弁バネ１２の付勢力にて復帰する様に成している。
【００１０】
吸気弁部４は、弁箱１内部に連通する吸気筒２４を立設し、該吸気筒２４は、その最上方部に弁箱１の内外を連通する吸気弁口２５を設け、該吸気弁口２５の下方開口端には、Ｏリングから成る吸気弁座２６を取付け、該吸気弁座２６に吸気弁口２５を開閉する球状の吸気弁体２７を着離自在に設けている。
吸気筒２４において、吸気弁体２７下方には弁箱１に連通する長尺な内筒２８を挿嵌し、該内筒２８の上方開口部を拡径形成して成る吸気弁バネ受２９と吸気弁体２７との間に吸気弁バネ３０を圧縮介装することにより、吸気弁体２７を閉弁方向に付勢している。
尚、吸気弁体２７は球状でなくても平板状であっても良い。
そして、吸気弁体２７で密閉された吸気弁部４内の容積（吸気弁体２７の体積を除いた図２中の格子模様で示す空間）Ｖを、圧力が加わることで吸気弁部４内の空気が圧縮されても吸気弁体２７下部に空気層を有する様に設定している。
即ち、弁箱１内に水が流入した状態で弁箱１内が大気圧にある場合には、図１、２の様に、内筒２８内全体の容積Ｖ分が空気層となっており、排気弁体８に止水不良を生じ、排気弁口６から漏水した状態でもその空気層の存在により吸気弁体２７は水に接触せず、例え、弁箱１内で想定される最大圧力によって内部空気が最小に圧縮されることで水位が内筒２８内へ上昇しても、その水面と吸気弁体２７との間には圧縮された状態の空気層が存在しており、常に吸気弁体２７の下方には空気の隔たり（空気層）が存在し水と接触しない様に成している。
又、吸気筒２４には、吸気弁口２５に連通するノズル３１を上部側面に突設したキャップ３２を外嵌している。
尚、本実施例にあっては、排気弁部３と吸気弁部４とを設けた空気弁について説明したが、この様な空気弁に限定されず、排気弁部３だけを有する空気弁であっても良い。
【００１１】
次に本発明に係る空気弁の作用について説明する。
配管内の水が充満して弁箱１内の水位が設定値以上では、フロート１５は浮力によって浮上して梃子杆１４を水平に保持しており、排気弁体８が排気弁バネ１２の付勢力によって排気弁座７に着座し、排気弁口６を閉鎖している。
又、排気弁体８にゴミ等の異物が付着し、排気弁体８が正常に排気弁座７に着座できず、排気弁口６を正常に閉塞できない場合、バネ２１と排気弁バネ１２の付勢力に抗して操作部２２の下方押圧を繰り返し行うことより、突き棒２３で排気弁体８を開閉弁動作（上下動）させ、排気弁体８やその周辺に付着した異物を水と共に外部へ排出する。
一方、吸気弁体２７は、吸気弁バネ３０の付勢力よって吸気弁座２６に着座し、吸気弁口２５を閉鎖しており、弁箱１内の圧力上昇に伴い水面が内筒２８内へ上昇しても、上述の如く、その水面と吸気弁体２７との間には、その圧力の度合によって厚みは異なるが、常に空気層が存在し、吸気弁体２７に水面が接触することはない。
そして、配管内に発生した気泡が弁箱１内に流入して滞留され、弁箱１内の水位が低下すると、その分フロート１５の受ける浮力が減少し、フロート１５は排気弁バネ１２の付勢力に抗してその自重により下降動作し、これに伴い梃子杆１４を介して排気弁体８は下降連動して排気弁口６が開口し、排気弁口６を通して弁箱１内に滞留した空気が排出される。
又、配管内に負圧を生じた場合、弁箱１内部も負圧となり、吸気弁体２７は下降動作し、該吸気弁体２７は吸気弁座２６より離脱して吸気弁口２５は開口し、吸気弁口２５を通して外気が導入され、負圧を解消し、その後吸気弁バネ３０の付勢力により吸気弁体２７は復帰して吸気弁座２６に着座し吸気弁口２５を閉鎖する。
【００１２】
【発明の効果】
要するに本発明は、排気弁口６を内部上方に設けた排気筒５を、弁箱１と連通する様に弁箱１上部に立設し、弁箱１内に設けたフロート１５の上下位置に応じ排気弁口６を開閉する排気弁体８を下方より配置すると共に、排気弁体８を排気弁バネ１２にて閉弁方向に付勢した排気弁部３を設けた空気弁において、排気弁部３には排気弁体８を開閉弁動作させる強制開閉弁操作手段２０を設けたので、排気弁体８にゴミ等の異物が付着し、排気弁体８が正常に排気弁座７に着座できず、排気弁口６を正常に閉塞できない場合、強制開閉弁操作手段２０にて排気弁体８を開閉弁動作させることにより濯ぎ、排気弁体８やその周辺に付着した異物を水と共に外部へ排出でき、排気弁部３の止水不良を解消して正常に動作させられる。
【００１３】
強制開閉弁操作手段２０は、バネ２１にて外方突出する様に付勢された操作部２２と、該操作部２２に連続形成され、排気弁口６の上方より排気弁体８を押圧する突き棒２３とから成るので、バネ２１の付勢力に抗して操作部２２の下方押圧を繰り返し行うといった簡単な操作により突き棒２３で排気弁体８を上下動させて濯ぎ、排気弁体８等に付着した異物を排水と共に排出できる等その実用的効果甚だ大である。
【図面の簡単な説明】
【図１】空気弁の断面図である。
【図２】強制開閉弁操作手段による排気弁体の開閉弁動作状態を示す拡大断面図である。
【図３】図１のＡーＡ拡大断面図である。
【符号の説明】
１  弁箱
３  排気弁部
５  排気筒
６  排気弁口
８  排気弁体
１２  排気弁バネ
１５  フロート
２０  強制開閉弁操作手段
２１  バネ
２２  操作部
２３  突き棒
【図１】
2004257478.tif 000003
【図２】
2004257478.tif 000004
【図３】
2004257478.tif 000005